(57)【要約】【課題】屋内外の階段において歩行者が歩行ガイドとして容易に利用することができる、安全性の高い経済的な照明ガイド装置を提供する。【解決手段】通路２の壁面３に設置されて照明用の光を放射する光出射部６，７を備える照明ガイド装置１であって、前記光出射部６、７は通路２に沿った壁面３と階段の壁面５に連続して又は連続的に設けられ、下方向の壁面３と歩行面を照射するものであることを特徴とする。これにより、光出射部からの配光により照明ガイド装置１のラインに沿ったライン状のコントラストが形成される。これは、他の照明と誤認することがない、均一な長い直線状の照明である。【選択図】図１
2008059819.tif 000002
【特許請求の範囲】
【請求項１】
通路の壁面に設置されて照明用の光を出射する光出射部を備える照明ガイド装置であって、前記光出射部は通路に沿った壁面に連続して又は連続的に設けられ、下方向の壁面と歩行面をライン照射するものであることを特徴とする照明ガイド装置。
【請求項２】
前記光出射部は側面に第２の光出射部を備えることを特徴とする請求項１記載の照明ガイド装置。
【請求項３】
照明ガイド装置は階段の始端と終端で連続又は断続した状態で歩行面に平行に配置されたことを特徴とする請求項１又は２記載の照明ガイド装置。
【請求項４】
階段の始端と終端近傍に表示灯を備えることを特徴とする請求項１ないし３記載の照明ガイド装置。
【請求項５】
手すり又は幅木内に組み込まれたことを特徴とする請求項１記載の照明ガイド装置。
【発明の詳細な説明】
【技術分野】
【０００１】
本発明は、照明ガイド装置に関し、特には、屋内外の階段において歩行者が歩行ガイドとして利用することができる照明ガイド装置に関する。
【背景技術】
【０００２】
従来、床面に向かって一方向配光により照射するように設置された投光器からなる非常用照明器具（例えば、特許文献１）が提案されている。この特許文献１の非常用照明装置は、床面よりかなり高い位置に設けられた点状の投光器から照射されるので、広範囲を照射することができ、作業通路を照射できる。
【０００３】
また、階段の照明をなしうるものとして、階段の勾配と略等しい傾斜で取り付けられてなる階段照明装置（例えば、特許文献２）や、段差の踏板に光を照射する光源と、踏板の表面において蹴上げ側から段鼻側に向かって輝度が徐々に明るくなるように前記光源の光を配光する光学部材とを備えて成る段差用照明器具（例えば、特許文献３）が提案されている。この特許文献２の階段照明装置は、階段踏み面及び壁と反対方向を照らすことができ、照射方向の照度をアップすることができる。また、特許文献３の段差用照明器具は階段の段鼻を効果的に確認できる。
【０００４】
さらに、壁面を照らす壁側発光部と床面を照らす床側発光部が備えられてなる発光幅木が提案されている（例えば、特許文献４）。この特許文献４の発光幅木では、壁面と床面を照らすことができる。ガイド用照明装置において、ライン状の発光部は通路では床に平行に、階段では階段勾配に平行に配置されることが必要である。
【０００５】
また、階段踏み面の段鼻や壁との境界付近、通路床の壁との境界付近には歩行ガイドのためのコントラストの高いラインや点字ブロックを施設することが日中の安全面も考慮して一般的に実施されている。夜間においては、この施設されたラインや点字ブロックを照らし出すことも必要であり、特に階段では段差を認識する必要がある。高輝度な発光部が視界にあると白内障などの場合、発光部近傍の視界がハレーションを起こして視認しにくい場合があるので、それをさける必要がある。上記特許文献２から４の従来の照明では、一般的な足元灯に比べて器具に輝度点がないため視認しにくいといった心配がなく、良好である。
【特許文献１】特開２０００−１６４０１３号公報
【特許文献２】特開２００２−２５６６６６９号公報
【特許文献３】特開２００５−１９１３５号公報
【特許文献４】特開２００５−２８２２５７号公報
【発明の開示】
【発明が解決しようとする課題】
【０００６】
しかしながら、特許文献１の非常用照明装置では、床面よりかなり高い位置に設けられた点状の投光器からなるので、階段の照明では距離により輝度が異なると共に陰ができやすく、認知しにくくなり、安全性が良くない。また、高出力でないと十分に照明できないので、経済的でない。
【０００７】
特許文献２の照明装置は、階段踏み面の照度がアップされ、階段の踏み面はわかりやすいが、壁面への配光がない。そのため、階段の踏み面の壁との境界線と断鼻に付けられているライン状の目印を照らし出して歩行補助することが困難である。
【０００８】
特許文献３の段差用照明器具は、視覚効果としては有効であるが、階段段鼻への発光装置の取り付けは強度面からも、施工面からも困難度が高く、汎用的に施工導入することが難しい。
【０００９】
特許文献４の発光幅木では、共通光源で２方向へ配光するため、ＬＥＤなど片側配光の光源を効果的に使用できない。また、階段においては踏み面と平行に配置できないため、通常階段の踏み面の壁との境界線付近に付けられているライン状の目印を照らし出し、歩行補助することが困難である。また、２方向へ配光を分けているため、１方向で壁と床を照らす場合に比べて効率が悪くなる。さらに、床部から水平方向への配光は、床のうねりや凹凸の形を生じやすく光のムラも起こりやすい。
【００１０】
本願発明は上記課題を解決するためになされたもので、屋内外の階段において歩行者が歩行ガイドとして容易に利用することができる、安全性の高い経済的な照明ガイド装置を提供することを目的とする。
【課題を解決するための手段】
【００１１】
上記の課題を解決するために、請求項１記載の発明に係る照明ガイド装置は、通路の壁面に設置されて照明用の光を出射する光出射部を備える照明ガイド装置であって、前記光出射部は通路に沿った壁面に連続して又は連続的に設けられ、下方向の壁面と歩行面をライン照射するものであることを特徴とする。
【００１２】
請求項２記載の発明に係る照明ガイド装置は、請求項１記載の発明において、前記光出射部は側面に第２の光出射部を備えることを特徴とする。
【００１３】
請求項３記載の発明に係る照明ガイド装置は、請求項１又は２記載の発明において、照明ガイド装置は階段の始端と終端で連続又は断続した状態で歩行面に平行に配置されたことを特徴とする。
【００１４】
請求項４記載の発明に係る照明ガイド装置は、請求項１ないし３記載の発明において、階段の始端と終端近傍に表示灯を備えることを特徴とする。
【００１５】
請求項５記載の発明に係る照明ガイド装置は、請求項１の発明において、手すり又は幅木内に組み込まれたことを特徴とする。
【発明の効果】
【００１６】
請求項１記載の発明によれば、照明ガイド装置において、ライン状の発光部は通路では床に平行に、階段では階段勾配に平行に配置される。これにより、複雑な装置を特に設置しないので、経済的である。照明ガイド装置を設置した壁面の発光部からの配光により照明ガイド装置のラインに沿ったライン状のコントラストが形成される。これは、他の照明と誤認することがない、均一な長い直線状の照明である。これにより、歩行者は階段の存在や勾配は勿論のこと壁の存在を認知することができる。特に、弱視の場合も階段の存在を感覚的に認知でき安全性を高めることができる。
【００１７】
また、階段踏み面の段鼻や壁との境界付近、通路床の壁との境界付近に施設されたラインや点字ブロックを照らし出すことにより、夜間においても日中と同様に安全性を確保できる。さらに、白内障のように視野が拡散している場合には、高輝度点が視野内にあると、ハレーションを起こし段差のような微妙な違いを認知しにくくなる傾向がある。しかし、進行方向に沿って、直線状に均一に照らし出し、通常のフットライトのような高輝度点が視界にないことからも、安全性を高めることができる。
【００１８】
請求項２記載の発明によれば、特に天井方向から明かりをとっている場合は壁面の上方ほど明るく、輝度が高くなっているが、第２の光出射部からの光により、照明ガイド装置からの照明の効果をより高めることができる。
【００１９】
請求項３記載の発明によれば、請求項１の効果に加え、より直感的に階段の存在を把握できる。そのため、遠方までの空間構造を直感的に把握できることから、階段と通路が混在する場合など、特に弱視者に心理的安心感を与えることができる。
【００２０】
請求項４記載の発明によれば、請求項１の効果に加え、階段の始端と終端の存在を認知することが容易で、より、安全性を高めることができる。
【００２１】
請求項５記載の発明によれば、請求項１の効果に加え、空間を広くとることができる。
【発明を実施するための最良の形態】
【００２２】
以下、本発明の実施の形態について、図面を参照して詳しく説明する。
【００２３】
（実施の形態１）
図１は本発明の実施の形態１における照明ガイド装置の施設例を示す斜視図、図２は照明ガイド装置の下面図、図３はその断面図である。この実施の形態の照明ガイド装置１は、通路２の側部に形成された壁面３と、階段４の壁部５とにそれぞれ取り付けられた光出射部である壁部照明装置６と階段部照明装置７とから構成されている。
【００２４】
壁部照明装置６及び階段部照明装置７はそれぞれ長尺状をなし、両者は連続的に設けられている。壁部照明装置６及び階段部照明装置７は、それぞれ、図２、３に示すように、概略板状材が一片が短くされたチャンネル形状に形成された取付金具１１と、本体１２と、光を出射する部分を構成する発光ユニット１３から構成されている。本体１２は発光ユニット１３を収容し、取付片１８により取付金具１１に取り付けられ、取付金具１１により壁面に取り付けられる。
【００２５】
発光ユニット１３は、複数個の発光ダイオード１５を並置した基板１４と発光ダイオード１５の光を放出する透光部１６を具えて構成されている。そして、発光ユニット１３は、発光ダイオード１５の光量等に応じて、適宜間隔を隔てて複数個直線状に配することにより、連続して照明する壁部照明装置６及び階段部照明装置７を構成する。透光部１６は透明アクリルから形成されている。また、発光ユニット１３は、ＤＣ電源部１７に接続され、点灯するようにされている。この発光ユニット１３から放射された光で壁面と床面又は踏み面が照射されるように、発光ダイオード１５からの光を拡散できるように、反射板を設けるとか配置を変える等してもよい。
【００２６】
壁部照明装置６は通路２の床面８の上方に配置され、階段４の始端近傍にまで達して設けられ、光を下方に放射して通路２の壁面３と、床面８の壁面３の近辺とを直線状に照射照射する。これにより、壁面３に照射ライン３ｓが形成され、床面８に、点字ブロック１０の一部にまで達したコントラストライン（図１の領域Ａ1）を形成する。この照射ライン３ｓ及びコントラストラインは、壁面３への配光により、壁部照明ガイド装置６の設置線に沿ってほぼ平行に形成するようにされている。これらのラインにより、壁面３の存在認知が補助され、歩きやすい状態となる。
【００２７】
階段部照明装置７は、手すり９の下方に、階段４勾配と略等しい傾斜で取り付けられ、階段４の壁部５と踏み面４ａを照らす。そして、階段部照明装置７は、光を下方に放射して階段４の壁面５と、踏み面４ａとを照射し、階段の勾配に平行となる照射ライン５ｓが形成されと共にコントラストライン（図１の領域Ａ２）が形成される。これらのラインにより、階段４の存在認知や勾配認知が可能となり、弱視者が階段が分からず落ちたり、階段形状や勾配が分からず通過し終わるまで足探りをしなければならないといった事態を軽減できる。
【００２８】
（実施の形態２）
図４は本発明の実施の形態２における照明ガイド装置の要部断面図である。この実施の形態の照明ガイド装置はその側面に第２の出射部を設けている点で、上記実施の形態１と相違するのみであるので、共通する部分については同一の符号を付して詳細な説明を省略する。照明ガイド装置１は、通路２の側部に形成された壁面３と、階段４の壁部５とにそれぞれ取り付けられた壁部照明装置６と階段部照明装置７とから構成されている。
【００２９】
壁部照明装置６及び階段部照明装置７では、図４に示すように、第２の出射部である輝度部２１を、本体１２の下方に設けられることにより、第２出射部がそれぞれ壁部及び階段部照明装置６，７の側面に形成されている。輝度部２１は乳白パネルにより構成され、照明ガイド装置が点灯されることにより、発光ユニット１３の光に照射されて、視認することができるようになる。光出射部である壁部照明装置６と階段部照明装置７から出射する光は、図４に示すように、上記実施の形態と同様にａ、ｂ、ｃ方向に放射されるとともに、本実施の形態では輝度部２１を照射する。これにより、照明ガイド装置自体にある程度の輝度が持たされ、通路や階段の存在認知が補助される。
【００３０】
（実施の形態３）
図５は本発明の実施の形態３における照明ガイド装置の施設例を示す斜視図である。この実施の形態の照明ガイド装置は壁部照明装置と階段部照明装置を連続して設けると共に、階段の初段及び終段鼻近辺に表示灯を設けている点で、上記実施の形態１と相違するのみであるので、共通する部分については同一の符号を付して詳細な説明を省略する。照明ガイド装置１は、通路２の側部に形成された壁面３と、階段４の壁部５とにそれぞれ取り付けられた壁部照明装置６と階段部照明装置７と、表示灯１９が設けられて構成されている。
【００３１】
表示灯１９は、階段の初段と終段の段鼻近傍の壁面に埋め込まれることにより設置される。この表示灯１９としては、例えば１．５Wの低い電力が供給されて発光ダイオードから適度な輝度を出力するものを用いる。なお、図中符号２０は高コントラストマーカーである。壁部照明装置と階段部照明装置を連続して設けることにより階段４部の存在をより直感的に把握できる。特に弱視者には遠方までの空間構造を直感的に把握できることから、階段と通路が混在する場合などにも心理的安心感を与えることができる。さらに、階段の始端と終端に表示灯を設ければ、階段の存在を認知することが容易で、より、安全性を高めることができる。
【００３２】
上記のように構成してなる照明ガイド装置１は、電源がＯＮされ、点灯されると、壁部照明装置６と階段部照明装置７が階段近辺の壁面及び床面と階段面を照射し、これらを視認できるようにする。
【００３３】
なお、本願発明は上記実施の形態のものに限られないことは勿論である。例えば、図６に示すように照明ガイド装置１を手すり９に組み込むようにしてもよく、また図示はしないが幅木に組み込むようにしてもよい。照明ガイド装置を手すりに組み込むようにした場合、照明ガイド装置１の設置高さが手すりの高さとなるため、ある程度の光出力が必要となるが、空間を広くとることができ、また手すりへの誘導効果を得ることも可能となる。
【００３４】
また、上記実施の形態では、発光ユニットに発光ダイオードを用いた例で説明したが、ＥＬ（エレクトロルミネッセンス）発光素子、直管状発光管等であってもよい。また、長尺状の照明装置の構造も取付金具、取付片、本体等と発光ユニットを組み合わせて構成しているが、壁面に発光ユニットを取り付けることができるような構成であればよい。また、第２の光出射部を乳白パネルからなる輝度部２１により構成しているが、輝度部に限られず光を照射するように構成して良いし、乳白色パネルでなく着色したものでもよい。
【図面の簡単な説明】
【００３５】
【図１】本発明に係る照明ガイド装置の施設状態を示す斜視図である。
【図２】照明ガイド装置の下面図である。
【図３】その断面図である。
【図４】本発明の実施の形態２における照明ガイド装置の要部断面図である。
【図５】本発明の実施の形態３における照明ガイド装置の施設例を示す斜視図である。
【図６】本発明に係る照明ガイド装置の施設状態の別例を示す斜視図である。
【符号の説明】
【００３６】
１  照明ガイド装置
２  通路
３  壁面
４  階段
５  踏み面
６  壁部照明装置（光出射部）
７  階段部照明装置（光出射部）
８  床面
９   手すり
１３   発光ユニット
１９  表示灯
【図１】
2008059819.tif 000003
【図２】
2008059819.tif 000004
【図３】
2008059819.tif 000005
【図４】
2008059819.tif 000006
【図５】
2008059819.tif 000007
【図６】
2008059819.tif 000008